(57)【要約】【課題】少なくとも表示画面を持つ情報端末において、絵文字入りテキストを表示する際に、豊かな表現で修飾する技術を提供することを目的とする。【解決手段】接続された液晶画面２１０にテキスト情報を表示する情報処理装置であって、所定の絵文字に対応する画像を保持する絵文字・動作データベース２０４と、前記テキスト情報に含まれる絵文字を抽出する絵文字抽出モジュール２０２と、前記抽出された絵文字が液晶画面２１０上の所定の位置に表示された際に、液晶画面２１０に、前記抽出された絵文字に対応する画像を表示させる絵文字対応動作出力モジュール２０７とを備える。【選択図】  図２
2004310352.tif 000002
【特許請求の範囲】
【請求項１】
接続された表示装置にテキスト情報を表示する情報処理装置であって、
所定の絵文字に対応する画像を保持する画像保持手段と、
前記テキスト情報に含まれる絵文字を抽出する抽出手段と、
前記抽出された絵文字が前記表示装置上の所定の位置に表示された際に、該表示装置に、前記抽出された絵文字に対応する画像を表示させる画像表示手段と
を備えることを特徴とする情報処理装置。
【請求項２】
所定の絵文字に対応する音声データを保持する音声データ保持手段と、
前記抽出された絵文字が前記表示装置上の所定の位置に表示された際に、前記抽出された絵文字に対応する音声データに基づいて音声出力させる音声出力手段と
を更に備えることを特徴とする請求項１に記載の情報処理装置。
【請求項３】
バイブレータを振動させるための振動情報を所定の絵文字に対応して保持する振動情報保持手段と、
前記抽出された絵文字が所定の位置に表示された際に、前記抽出された絵文字に対応する振動情報に基づいて前記バイブレータを振動させる振動手段と
を更に備えることを特徴とする請求項１に記載の情報処理装置。
【請求項４】
前記表示装置のバックライトを点灯させるための点灯情報を所定の絵文字に対応して保持する点灯情報保持手段と、
前記抽出された絵文字が所定の位置に表示された際に、前記抽出された絵文字に対応する点灯情報に基づいて前記表示装置のバックライトを点灯させる点灯手段と
を更に備えることを特徴とする請求項１に記載の情報処理装置。
【請求項５】
前記画像表示手段は、
前記表示装置に、前記抽出された絵文字に対応する画像を複数枚表示させることを特徴とする請求項１に記載の情報処理装置。
【請求項６】
前記テキスト情報は、Ｗｅｂコンテンツ、電子メールの本文、または電子メールのタイトルのいずれかを含むことを特徴とする請求項１に記載の情報処理装置。
【請求項７】
接続された表示装置にテキスト情報を表示するための情報処理方法であって、
所定の絵文字に対応する画像を保持する画像保持工程と、
前記テキスト情報に含まれる絵文字を抽出する抽出工程と、
前記抽出された絵文字が前記表示装置上の所定の位置に表示された際に、該表示装置に、前記抽出された絵文字に対応する画像を表示させる画像表示工程と
を備えることを特徴とする情報処理方法。
【請求項８】
所定の絵文字に対応する音声データを保持する音声データ保持工程と、
前記抽出された絵文字が前記表示装置上の所定の位置に表示された際に、前記抽出された絵文字に対応する音声データに基づいて音声出力させる音声出力工程と
を更に備えることを特徴とする請求項７に記載の情報処理方法。
【請求項９】
バイブレータを振動させるための振動情報を所定の絵文字に対応して保持する振動情報保持工程と、
前記抽出された絵文字が所定の位置に表示された際に、前記抽出された絵文字に対応する振動情報に基づいて前記バイブレータを振動させる振動工程と
を更に備えることを特徴とする請求項７に記載の情報処理方法。
【請求項１０】
前記表示装置のバックライトを点灯させるための点灯情報を所定の絵文字に対応して保持する点灯情報保持工程と、
前記抽出された絵文字が所定の位置に表示された際に、前記抽出された絵文字に対応する点灯情報に基づいて前記表示装置のバックライトを点灯させる点灯工程と
を更に備えることを特徴とする請求項７に記載の情報処理方法。
【請求項１１】
前記画像表示工程は、
前記表示装置に、前記抽出された絵文字に対応する画像を複数枚表示させることを特徴とする請求項７に記載の情報処理方法。
【請求項１２】
前記テキスト情報は、Ｗｅｂコンテンツ、電子メールの本文、または電子メールのタイトルのいずれかを含むことを特徴とする請求項７に記載の情報処理方法。
【請求項１３】
請求項７乃至１２のいずれか１つに記載の情報処理方法をコンピュータによって実現させるための制御プログラムを格納した記憶媒体。
【請求項１４】
請求項７乃至１２のいずれか１つに記載の情報処理方法をコンピュータによって実現させるための制御プログラム。
【発明の詳細な説明】
【０００１】
【発明の属する技術分野】
本発明は、テキスト情報を表示する情報端末における情報処理技術に関するものである。
【０００２】
【従来の技術】
近年ではインターネットの発展により、携帯電話等の小型携帯端末や、Ｌモード端末といった据え置き型端末において、様々なフロー情報（Ｅメール、インターネットコンテンツ等）を表示できるようになってきている。そして、これらのフロー情報に含まれるテキスト情報において、絵文字（顔文字、アスキーアートを含む）と呼ばれる“絵”として見ることができる文字列が用いられることがある。これは硬くなりがちな文章表現を和ませるために用いられ、若者を中心に多用されている。ＮＴＴでは、Ｌモード用の絵文字として、約２３０のｓ−ｊｉｓコードとそのイメージを定義している。
【０００３】
このような絵文字入りのテキストは、画面に表示されるばかりではなく、これまで様々な形で利用されてきた。例えば、特開平１１−３０５９８７には、絵文字に適当な読みを割り振り、音声合成技術で読み上げる技術が開示されている。
【０００４】
また、特開平１１−３２７８７２号公報や特開２００２−４１４１１号公報には、単純な読みを付けるだけではなく、絵文字から適当な効果音や動作を生成し、メール読み上げロボットに感情豊かな動作を行わせる技術が開示されている。
【０００５】
【特許文献１】
特開平１１−３０５９８７号公報
【特許文献２】
特開平１１−３２７８７２号公報
【特許文献３】
特開２００２−４１４１１号公報
【０００６】
【発明が解決しようとする課題】
しかしながら、特開平１１−３０５９８７号公報のように、絵文字入りのテキストを画面に表示したり、音声で読みを割り当てるだけでは表現能力に上限がある。一方、特開平１１−３２７８７２号公報や特開２００２−４１４１１号公報のようなロボットを用いてジェスチャを行えば感情豊かな表現が可能であるが、一般に出回っている情報端末（例えば、携帯電話等の小型携帯端末や、Ｌモード端末等の据え置き型端末）でこのような動作をさせることは難しい。
【０００７】
本発明は、上記課題に鑑みなされたもので、少なくとも表示画面を持つ情報処理装置において、絵文字入りテキストを表示する際に、豊かな表現で修飾する技術を提供することを目的とする。
【０００８】
【課題を解決するための手段】
上記の目的を達成するために本発明に係る情報処理方法は以下のような構成を備える。即ち、
接続された表示装置にテキスト情報を表示する情報処理方法であって、
所定の絵文字に対応する画像を保持する画像保持工程と、
前記テキスト情報に含まれる絵文字を抽出する抽出工程と、
前記抽出された絵文字が前記表示装置上の所定の位置に表示された際に、該表示装置に、前記抽出された絵文字に対応する画像を表示させる画像表示工程とを備える。
【０００９】
【発明の実施の形態】
［第１の実施形態］
図１は、本発明の一実施形態にかかる情報処理方法を実現するためのハードウエア構成の一例を示す図である。図１において、１０１は制御メモリ（ＲＯＭ）、１０２は中央処理装置、１０３はメモリ（ＲＡＭ）、１０４は外部記憶装置、１０５は各種出力モーダル（例えば、表示装置、スピーカ、バイブレータ等）、１０６は通信装置、１０７はバスである。本実施形態にかかる情報処理方法を実現するための制御プログラムやその制御プログラムで用いるデータは、制御メモリ１０１に記憶される。これらの制御プログラムやデータは、中央処理装置１０２の制御のもと、バス１０７を通じて適宜メモリ１０３に取り込まれ、中央処理装置１０２によって実行される。
【００１０】
図２は、本発明の第１の実施形態にかかる情報処理方法を実現するための制御プログラムの機能ブロックならびに当該プログラムによって動作される出力モーダル等を示す図である。
【００１１】
本実施形態にかかる情報処理方法を実現するための制御プログラム（テキスト情報出力プログラム２００）は、テキスト入力モジュール２０１を持ち、インターネットに接続した電子メール受信部２２０やＨＴＭＬファイル読み込み部２２１との間で情報のやり取りを行うことが可能である。電子メール受信部２２０で受け取った電子メールのメール文は、テキスト入力モジュール２０１により入力される。同様に、ＨＴＭＬファイル読み込み部２０２で読み込まれたホームページ等のＨＴＭＬファイルの可読テキスト部分は、テキスト入力モジュール２０１により入力される。
【００１２】
入力されたテキストデータ（メール文、可読テキスト部分）は、絵文字抽出モジュール２０２とテキスト情報出力モジュール２０５に送られる。テキスト情報出力モジュール２０５では、送られてきたテキストデータの特定部分を液晶画面２１０等に表示する。また、テキストデータを音声情報に変換してスピーカ２１１から出力することも可能である。
【００１３】
絵文字抽出モジュール２０２では、テキストから絵文字部分を抽出する処理を行う。抽出された絵文字はデーベース検索モジュール２０３に送られ、絵文字をキーに絵文字・動作データベース２０４内の絵文字対応動作が検索される。絵文字・動作データベース２０４の例は後に図４を用いて説明する。
【００１４】
検索された絵文字対応動作は絵文字対応動作出力モジュール２０７に送られる。動作出力タイミング調整モジュール２０６では、現在出力中のテキスト情報に従い、前記絵文字対応動作を発動させるタイミングを決定する。動作出力タイミング調整モジュール２０６から動作の出力要請が来ると、絵文字対応動作出力モジュール２０６はスピーカ２１１やバイブレータ２１２、ライト２１３等を用いて絵文字に対応した動作を実行させる。
【００１５】
図３は、電子メール受信部２２０において受信された電子メールを表示したり、ＨＴＭＬファイル読み込み部２２１において取得されたＨＴＭＬファイルを表示する場合の本テキスト情報出力プログラムの処理の流れを示すフローチャートである。
【００１６】
まず、本テキスト情報出力プログラム２００は、電子メール受信部２２０またはＨＴＭＬファイル読み込み部２２１より、出力用のテキスト情報を取得する（ステップＳ３０１）。ここで取得するテキスト情報は、テキスト情報全体でもよいし、テキスト情報の一部であってもよい。これは本テキスト情報出力プログラム２００を実行するためのハードウェア構成における出力デバイスの制限（本実施形態では液晶画面２１０の大きさ等）により、一度に出力できるテキスト情報のサイズが限られているためである。ステップＳ３０２では、取得したテキスト情報を出力する。本実施形態では液晶画面２１０へ出力される。
【００１７】
次にテキスト情報内の全絵文字を検出する（ステップＳ３０３）。ある文字列が絵文字かどうかは、それが絵文字・動作データベース２０４に存在するかどうかで判断される。ステップＳ３０３で検出された全絵文字に関してステップＳ３０４〜ステップＳ３０７までの処理を行う。
【００１８】
まず、検出された各絵文字について、ステップＳ３０４では動作出力タイミングとして今が適切かどうかを判断する。動作出力タイミングとして今が適切かどうかは、例えば、その絵文字が液晶画面２１０の画面内の適当な位置（例えば中央の行）に現れているかどうかで判断する。また、ステップＳ３０５ではその絵文字動作は既に行ったかどうかを判定する（つまり、動作は一度だけ行われることとなる）。なお、同じ絵文字に対する動作を何度行わせてもよい場合には、この処理（ステップＳ３０５）は省略されることとなる。
【００１９】
絵文字に対応する動作を行わせることが決まると、絵文字・動作データベース２０４を検索し、絵文字に対応する動作を取得（ステップＳ３０６）し、その動作を出力する（ステップＳ３０７）。
【００２０】
絵文字に対応する動作を終了後、テキスト出力が終了したか否かを判定し（ステップＳ３０８）、テキスト情報の出力が終了していない場合には、ステップＳ３０４に戻り、絵文字対応動作が出力されていない次の絵文字について同様の処理を行う。一方、テキスト情報の出力がすべて終了したと判定された場合には、処理を終了する。
【００２１】
図４は、本実施形態で用いる絵文字・動作データベース２０４の具体的な一例を示す図である。
【００２２】
この絵文字・動作データベース４００は、絵文字とそれが現れた場合に行う動作とが対となって格納されている。絵文字には、画面に表示する画像とその位置、音声出力するサウンド、振動パターン、ライト（液晶画面のバックライト）点滅パターンといった様々な出力モーダルの動作が対応付けされている。更に、その絵文字が連続して登場した場合に、動作を重ね合わせて発動できるかどうかを表したデータを用意してもよい（つまり、データベース４００中の「重ね合わせ」が可／不可は、同一画面上に絵文字に対応する複数の画像を同時に表示することが可能であるか否かを示す）。
【００２３】
例えば図４の先頭行の絵文字４０１は、怒った顔を表すものである（ｓ−ｊｉｓコードＦ９９６）。この絵文字が現れた場合、“ｉｋａｒｉ．ｇｉｆ”画像を画面右上に表示し、強く連続した振動でバイブレータを震わせ、赤色の早いライト点滅を行うことを示している。また、この絵文字と他の絵文字が連続して現れても、それらの動作を重ね合わせて発動させないことを表している。同様に絵文字４０２〜４０７についても、それぞれ出力モーダルの動作が対応付けて記載されており、各絵文字が所定の位置に表示されると、当該データベース４００に記載された動作を行う。
【００２４】
以上の説明から明らかなように、本実施形態によれば、入力されたテキスト情報を表示するにあたり、当該テキスト情報に絵文字が含まれていた場合には、絵文字に対応する動作を所定のタイミングで行うことが可能となり、絵文字入りのテキストを豊かな表現で修飾することができる。
【００２５】
以下に、本実施形態にかかるテキスト情報出力プログラムを適用した実施例を挙げる。
【００２６】
＜実施例１＞
本実施例では、上記実施形態にかかるテキスト情報出力プログラムをＬモード対応ＦＡＸの親機に適用した場合の動作について説明する。
【００２７】
Ｌモード対応ＦＡＸの親機は、液晶ディスプレイとハンズフリーで使うためのスピーカといった出力モーダルを持つ。また、比較的メモリやＣＰＵリソースに恵まれているため、音声合成処理を行うことが可能である。
【００２８】
図５（Ａ）は、Ｌモード対応ＦＡＸの親機（液晶画面付ＦＡＸ端末）の概観を示す図である。この端末５０１はインターネットに接続しており、Ｅメールを受信する。例えばこの端末で「今日は残業することになりました。先に食事をしておいて下さい。ｍ（＿  ＿）ｍ」というメールを受信したとする。ちなみに“ｍ（＿  ＿）ｍ”は人が頭を下げている絵文字（データベース４００の４０６参照）である。このＬモード対応ＦＡＸの親機においてテキスト情報出力プログラムが実行されると、まず、入力されたメール文が液晶画面５０２において画像出力される（５０５は受信したＥメールのメール文である）。更にユーザの指示に基づいて、当該メール文５０５は音声合成により内蔵スピーカ５０３から音声出力される。音声合成は、メールの先頭から全テキストを対象に行ってもよいし、画面内のテキストに限定して行ってもよい。また、読み上げている地点が常に画面中央に来るように、自動でスクロールしてもよい。
【００２９】
そして、本テキスト情報出力プログラムが絵文字対応動作を行うタイミングとして適当と判断すると、その絵文字に対応した動作を出力する。先の例では、“ｍ（＿  ＿）ｍ”に対応する動作を図４のような絵文字・動作データベース４００から検索し、そこに記述された動作を行う。絵文字対応動作を行う適当なタイミングとは、その絵文字が画面の中央行に出現した瞬間などをいう。
【００３０】
図５（Ｂ）は、絵文字動作が発動している例を示す図である。図４の絵文字・動作データベース４００によれば、絵文字４０６に対応する絵文字対応動作は、画像出力（ファイル：ｇｏｍｅｎ．ｇｉｆ、出力位置：上から下へ移動）およびサウンド（ファイル：ｇｏｍｅｎ．ｗａｖ）である。したがって、“ｇｏｍｅｎ．ｇｉｆ”を画面上から下に移動させながら表示し（５０４）、「ごめんなさい」という音声データがスピーカから出力されることとなる。
【００３１】
＜実施例２＞
本実施例では、上記実施例１同様、本テキスト情報出力プログラムをＬモード対応ＦＡＸに適用した場合の動作であって、絵文字４０２および絵文字４０７（ともに、「重ね合わせ可」である絵文字）を含むテキスト情報が入力された場合の動作について説明する。
【００３２】
図６（Ａ）は、Ｌモード対応ＦＡＸの親機（液晶画面付ＦＡＸ端末）の概観を示す図である。この端末６０１で「昨晩は五郎と（船の絵）（食事の絵）でした。」という受信Ｅメール文６０５を受けたとする。
【００３３】
この端末６０１内においてテキスト情報出力プログラムが実行されると、絵文字対応動作を行うのに適当なタイミングで、その絵文字に対応した動作が出力される。この際、図４の動作・絵文字対応データベースから検索された絵文字（４０２、４０７）に対応する動作は、重ね合わせ可能であることから、これらの動作は同時に、あるいは先行する動作が終了する前に、次の動作が重ね合わせて発動される。
【００３４】
この例では、画像出力として、“ｈｕｎｅ２．ｇｉｆ”と“ｇｏｈａｎ．ｇｉｆ”を表示する。また音声出力として、“ｈｕｎｅ２．ｗａｖ”と“ｇｏｈａｎ．ｗａｖ”を重畳する。なお、絵文字・動作データベース４００によれば、絵文字４０２に対応する動作として振動（動作内容：弱く連続）が記載されているが、本実施例のＬモード対応ＦＡＸの親機にはバイブレータ機能が備えられていないため、これらの出力（振動動作）は行われない。
【００３５】
なお、本実施例では連続する絵文字（４０２、４０７）がともに、“重ね合わせ動作可”であったため、重ね合わせが可能であったが、絵文字が連続していない場合や、連続して現れた絵文字の内、少なくとも一つの絵文字が重ね合わせ不可の場合は、動作の重ね合わせを行われず、先の動作が完全に停止してから次の動作を開始する。
【００３６】
なお、動作の重ね合わせを行う場合、重ね合わせる複数の動作を全く同じ時刻で発動させてもよいし、多少の時間をずらして発動させてもよい。
【００３７】
＜実施例３＞
本実施例では、上記実施形態にかかるテキスト情報出力プログラムをＬモード対応ＦＡＸ端末の子機に適用した場合の動作について説明する。
【００３８】
Ｌモード対応ＦＡＸ端末の子機（液晶画面付ＦＡＸ端末子機）には出力モーダルとして、液晶画面、バイブレータ、液晶画面のカラーバックライトが付加されていることが一般的である。
【００３９】
図７（Ａ）は、Ｌモード対応ＦＡＸ端末の子機（液晶画面付ＦＡＸ端末子機）の概観を示す図である。本実施例ではこの端末７０１がインターネット上のテキストコンテンツ７０４を出力するものとする。
【００４０】
ユーザが端末付随の画面スクロールキー７０２を操作し、テキストコンテンツ内の絵文字が指定された位置に現れると、テキスト情報出力プログラムにより、絵文字対応動作を行うのに適当なタイミングと判断され、図４のような動作・絵文字対応データベース４００から、絵文字に対応する動作が検索され、動作が発動される。
【００４１】
この例では人の怒った顔に対応する絵文字を検索し、画像出力として“ｉｋａｒｉ．ｇｉｆ”、振動パターンとして“強く連続”、ライトパターンとして“赤点滅早”が発動される。
【００４２】
なお、子機７０１で用いる動作・絵文字対応データベース４００や音声や画像といった実際の出力データは、子機の内部に装備されていてもいし、親機（５０１や６０１）内に装備されたものを参照してもよい。
【００４３】
［第２の実施形態］
上記第１の実施形態においては、電子メール受信部２０１において受信されたメールを表示する場合のテキスト情報出力プログラムの処理について説明したが、本テキスト情報出力プログラムの処理はこのような場合に限られない。本実施形態では電子メール受信部２０１においてメールを受信した際の、メール受信通知動作におけるテキスト情報出力プログラムの処理について説明する。
【００４４】
図８は、本発明の第２の実施形態にかかる情報処理方法を実現するためのテキスト情報出力プログラムの処理の流れを示すフローチャートである。
【００４５】
はじめにＥメールが到着したか否かを監視し（ステップＳ８０１）、Ｅメールの到着を検知すると、そのＥメールのタイトル（Ｓｕｂｊｅｃｔ）情報を取得する（ステップＳ８０２）。タイトル内に絵文字が存在する場合（ステップＳ８０３）、ステップＳ８０４に進み、そのタイトルテキスト情報用いて、図３の処理フローに入る（つまり、図３のステップＳ３０１で取得されるテキストは、本実施形態の場合、Ｅメールのタイトルに該当する）。
【００４６】
一方、Ｅメールにタイトルが付加されていない場合や、タイトル内に絵文字が存在しない場合は、デフォルトのＥメール受信通知を行う（ステップＳ８０５）。
【００４７】
図９（Ａ）、（Ｂ）は、Ｅメール受信通知機能を備える液晶画面付ＦＡＸ端末子機に、テキスト情報出力プログラムを適用した場合の動作を示す図である。
【００４８】
９０１のようなメールが液晶画面付ＦＡＸ端末子機９０４に届くと、そのメールタイトル９０２が取得される。ここでは“昨日の（犬の絵文字）の件”というテキストがメールタイトルとして取得される。取得されたテキストに対して本テキスト情報出力プログラムが実行されることにより、図４の絵文字・動作データベース４００から、絵文字９０３に対応する画像として“ｉｎｕ．ｇｉｆ”、表示位置として中央、サウンドとして“ｉｎｕ．ｗａｖ”、振動として“強く単発”が選ばれる。これを用いて、端末９０４で動作を発動させ、それをメール受信通知動作としてユーザに出力する。
【００４９】
図９（Ｂ）は、メール受信通知動作後の端末９０４の状態を示す図である。同図に示すように、メールタイトル“昨日の（犬の絵文字）の件”とともに、絵文字対応画像９０５が画面中央に表示され、強く単発の振動動作が行われ、さらに“ワン”という犬の鳴声が音声出力される。
【００５０】
［第３の実施形態］
上記第１の実施形態においては、テキスト情報出力プログラムが参照する絵文字・動作データベース２０４にはデフォルトのデータベースが格納されているものとしたが、これに限られない。ユーザのニーズに応じて自由に変更できるようにしてもよい。本実施形態では、本テキスト情報出力プログラムが参照する絵文字・動作データベース２０４を変更する場合の処理について説明する。
【００５１】
図１０は、図２に示すテキスト情報出力プログラムの機能ブロック図に、絵文字・動作データベース２０４を自由に変更するためのデータベース更新部１００１を付加したことを示す図である。また、図１１は、図１０に示すブロック図のもと、当該データベース更新部１００１における処理の流れを示すフローチャートである。
【００５２】
テキスト情報出力プログラムが実行される情報端末には絵文字・動作データベース変更ボタン（不図示）が具備されているものとし、当該変更ボタンが押されることで、本処理フローに入るものとする。
【００５３】
まず、ユーザ所望のデータベース名（あるいはＵＲＩ）をユーザから取得する（ステップＳ１１０１）。データベース名が得られると、インターネットを介して所望のデータベースのダウンロードを試みる（ステップＳ１１０２）。うまくダウンロードできると（ステップＳ１１０３）、そのデータベースを既存の絵文字・動作データベース２０４に上書きする（ステップＳ１１０４）。もし、ダウンロードができなかった場合、ユーザにエラーを通知し（ステップＳ１１０５）、本処理を終了する。
【００５４】
これにより、ユーザの好みに合わせ、絵文字・動作データベース２０４を変更できるようになる。なお、絵文字・動作データベースの配布は、絵文字フォントとセットで配布してもよい。
【００５５】
［第４の実施形態］
上記各実施形態においては、絵文字・動作データベースを記述する言語を特に示さなかったが、特定の言語に限定されるものではない。例えば、ＳＭＩＬ等の既存の記述言語を用いて記述されていてもよい。
【００５６】
【他の実施形態】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても達成される。この場合、記憶媒体から読出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、ＤＶＤ、磁気テープ、不揮発性のメモリカード、ＲＯＭなどを用いることができる。
【００５７】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれる。
【００５８】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【００５９】
【発明の効果】
以上説明したとおり、本発明によれば、少なくとも表示画面を持つ情報端末において、絵文字入りテキストを豊かな表現で修飾して出力することが可能なとなる。
【図面の簡単な説明】
【図１】本発明の一実施形態にかかる情報処理方法を実現するためのハードウエア構成の一例を示す図である。
【図２】本発明の第１の実施形態にかかる情報処理方法を実現するための制御プログラムの機能ブロック図である。
【図３】電子メール受信部において受信された電子メールを表示したり、ＨＴＭＬファイル読み込み部において取得されたＨＴＭＬファイルを表示する場合の本テキスト情報出力プログラムの処理の流れを示すフローチャートである。
【図４】本発明の各実施形態で用いられる絵文字・動作データベースの具体的な一例を示す図である。
【図５】Ｌモード対応ＦＡＸの親機（液晶画面付ＦＡＸ端末）の概観を示す図である。
【図６】Ｌモード対応ＦＡＸの親機（液晶画面付ＦＡＸ端末）の概観を示す図である
【図７】Ｌモード対応ＦＡＸの子機（液晶画面付ＦＡＸ端末子機）の概観を示す図である。
【図８】本発明の第２の実施形態にかかる情報処理方法を実現するためのテキスト情報出力プログラムの処理の流れを示すフローチャートである。
【図９】Ｅメール受信通知機能を備えるテキスト情報出力プログラムを適用した場合の液晶画面付ＦＡＸ端末子機における動作を示す図である。
【図１０】図２に示すテキスト情報出力プログラムの機能ブロック図に、絵文字・動作データベース２０４を自由に変更するためのデータベース更新部１００１を付加したことを示す図である。
【図１１】図１０に示すブロック図のもと、当該データベース更新部１００１における処理の流れを示すフローチャートである。
【図１】
2004310352.tif 000003
【図２】
2004310352.tif 000004
【図３】
2004310352.tif 000005
【図４】
2004310352.tif 000006
【図５】
2004310352.tif 000007
【図６】
2004310352.tif 000008
【図７】
2004310352.tif 000009
【図８】
2004310352.tif 000010
【図９】
2004310352.tif 000011
【図１０】
2004310352.tif 000012
【図１１】
2004310352.tif 000013